(57)【特許請求の範囲】
【請求項１】
筐体内に設けられるとともに、ディスクを配置する配置面を備えたディスク配置部と、
前記筐体と、前記ディスク配置部との間に設けられる仕切り部材と、
前記ディスクを回転させるディスク駆動手段と、
前記配置面と前記仕切り部材との間（第２空間）の空気を、前記配置面よりも下側（第１空間）に導く空気吐出口と、
前記第１空間の空気を、前記筐体と前記仕切り部材との間（第３空間）に導く空気吸入部と、
前記第３空間の空気を、前記第２空間に導く空気導出部と、
を含み、
前記ディスクの回転によって生ずる前記ディスクの径方向内側における圧力と径方向外側における圧力との差圧を用いて、前記第１〜３の空間の空気を循環させることを特徴とするディスク装置。
【請求項２】
前記ディスクに対して情報の記録又は読み取りのうち少なくとも一方を実行するピックアップが前記ディスクの径方向外側にきたときには、前記ディスクの回転によって前記ディスクの径方向外側へ送られる空気を前記ピックアップに導く導風手段を備えることを特徴とする請求項１に記載のディスク装置。
【請求項３】
前記空気導出部は、前記仕切り部材に設けられていることを特徴とする請求項１又は２に記載のディスク装置。
【請求項４】
前記空気導出部は、前記ディスクの径方向内側に位置することを特徴とする請求項３に記載のディスク装置。
【請求項５】
前記空気導出部は、前記ディスクの回転方向に向かうにしたがって、前記ディスク側に傾斜する傾斜部を備えることを特徴とする請求項３又は４に記載のディスク装置。
【請求項６】
前記空気導出部は、前記ディスクの径方向内側かつ前記ディスクの周方向に向かって複数かつ奇数個設けられることを特徴とする請求項３〜５のいずれか１項に記載のディスク装置。
【請求項７】
前記仕切り部材の表面から前記筐体に向かって立設する板状の部材により、前記第１空間から前記第３空間に吸入されてきた空気を、前記空気吸入部から前記空気導出部に導くことを特徴とする請求項３〜６のいずれか１項に記載のディスク装置。
【請求項８】
前記ピックアップの温度が昇温したときには、記録又は再生を一旦中断するとともに、前記ピックアップを前記ディスクの径方向外側に移動させ、前記ディスクの回転数を上昇させることを特徴とする請求項３〜７のいずれか１項に記載のディスク装置。
【発明の詳細な説明】
【技術分野】
【０００１】
本発明は、筺体内に機器類が配置されたディスク装置に関する。
【背景技術】
【０００２】
光ディスク等の再生や光ディスク等に記録・再生するためのディスク装置は、内部に備える構成機器が発熱源となり、前記構成機器の発生する熱がディスク装置の性能や耐久性に大きな影響を与える。このため、ディスク装置では、放熱性能を向上させるための対策が施されている。例えば、特許文献１には、冷却ファンによって風路室へ外気を導入し、電子部品を取り付けた回路基板が前記風路室へ臨むように配設されるディスク装置が開示されている。
【０００３】
【特許文献１】特開２００３−１０００６９号公報
【発明の開示】
【発明が解決しようとする課題】
【０００４】
しかしながら、特許文献１に開示されているように冷却ファンによって外気をディスク装置内に導入した場合、外気とともに空気中の塵埃等もディスク装置内に取り込んでしまい、内部汚染を招くおそれがある。特に、ディスクから情報を読み取るピックアップ部や、ディスクに情報を記録する記録部は汚れに対して敏感であるため、単に外気を導入したのでは、これらの耐久性を低下させるおそれがある。前記内部汚染の問題を回避するため、ピックアップ部等が配置される空間を閉鎖空間とする手法もあるが、この手法では、放熱が不十分となる。
【０００５】
そこで、本発明は、上述した課題をその一例として解決するものであって、装置内へ積極的に外気を導入せずに、装置内の機器の冷却性能を向上できるディスク装置を提供することを目的とする。
【課題を解決するための手段】
【０００６】
請求項１に記載の発明は、筐体内に設けられるとともに、ディスクを配置する配置面を備えたディスク配置部と、前記筐体と、前記ディスク配置部との間に設けられる仕切り部材と、前記ディスクを回転させるディスク駆動手段と、前記配置面と前記仕切り部材との間（第２空間）の空気を、前記配置面よりも下側（第１空間）に導く空気吐出口と、前記第１空間の空気を、前記筐体と前記仕切り部材との間（第３空間）に導く空気吸入部と、前記第３空間の空気を、前記第２空間に導く空気導出部と、を含み、前記ディスクの回転によって生ずる前記ディスクの径方向内側における圧力と径方向外側における圧力との差圧を用いて、前記第１〜３の空間の空気を循環させることを特徴とする。
【発明を実施するための最良の形態】
【０００８】
次に、この発明を実施するための最良の形態（以下実施形態という）について説明する。なお、この実施形態によりこの発明が限定されるものではない。また、以下に説明する実施の形態における構成要素には、当業者が容易に想定できるもの、あるいは実質的に同一のものが含まれる。また、本発明は、光ディスク、磁気ディスク、光磁気ディスクその他のディスクに情報を記録し、あるいは情報を記録するディスク装置全般に対して適用でき、ディスクの種類は問わない。
【０００９】
この実施形態に係るディスク装置は、筐体内に設けられるとともに、ディスクを配置する配置面を備えたディスク配置部と、前記筐体と、前記ディスク配置部との間に設けられる仕切り部材と、前記ディスクを回転させるディスク駆動手段と、前記配置面と前記仕切り部材との間（第２空間）の空気を、前記配置面よりも下側（第１空間）に導く空気吐出口と、前記第１空間の空気を、前記筐体と前記仕切り部材との間（第３空間）に導く空気吸入部と、前記第３空間の空気を、前記第２空間に導く空気導出部と、を含み、前記ディスクの回転によって生ずる前記ディスクの径方向内側における圧力と径方向外側における圧力との差圧を用いて、前記第１〜３の空間の空気を循環させる点に特徴がある。
【００１０】
このディスク装置は、ディスクの回転によって発生する、ディスクの径方向内側から径方向外側へ向かう空気の流れを利用して、ディスク装置内の空気を循環させ、ディスク装置内部の発熱機器を冷却する。そして、このディスク装置では、ディスクの配置面よりも下側の空間における昇温した空気を筐体に接触させ、これを冷却することができる。このような構成により、ディスクの回転数が低く、ディスク装置内の空気を循環が不十分である場合でも、効率的にディスク装置内の空気を冷却することができる。その結果、装置内へ積極的に外気を導入せずに、装置内の機器の冷却性能を向上できる。
【００１１】
また、この実施形態に係るディスク装置では、前記ディスクの回転によって前記ディスクの径方向外側へ送られる空気を前記ピックアップに導く導風手段を備えてもよい。この導風手段は、前記ディスクに対して情報の記録又は読み取りのうち少なくとも一方を実行するピックアップが前記ディスクの径方向外側にきたときに、前記ディスクの径方向外側へ送られる空気を前記ピックアップに導くものである。
【００１２】
一般に、ディスクは線速度が一定になるように制御されるので、ピックアップがディスクの外側にくると、ピックアップがディスクの内側にあるときよりもディスクの回転数は低くなる。その結果、ディスク装置内における空気の循環が不十分になって、発熱機器の冷却が不十分になるおそれがあるが、このディスク装置は、ピックアップがディスクの径方向外側にきたときには、前記導風手段によりピックアップに対して空気を吹き付ける。これによって、ディスクの回転数が低い場合でも、昇温しやすいＬＤ（Laser Diode：レーザーダイオード）等を効果的に冷却することができる。
【００１３】
また、この実施形態に係るディスク装置では、前記仕切り部材に、前記空気吸入部から導入された空気を、前記ディスクと前記仕切り部材との間、かつ、前記ディスクの径方向内側に導く空気導出部を備えるようにしてもよい。これによって、ディスクの回転によって生ずるディスクの径方向内側と径方向外側との間に生ずる差圧を有効に利用して、ディスク装置内の空気を効果的に循環させることができる。
【００１４】
また、この実施形態に係るディスク装置では、前記空気導出部に、前記ディスクの回転方向に向かうにしたがって、前記ディスク側に傾斜する傾斜部を設けるようにしてもよい。このようにすれば、空気導出部からディスクと仕切り部材との間の空間に吸引される空気は、ディスクのディスク面に沿って滑らかに流れるので、ディスクに発生する無駄な振動を抑制できる。これによって、ディスに反りが発生した場合に、記録／再生性能の劣化を招くおそれを低減できる。
【００１５】
また、この実施形態に係るディスク装置では、空気導出部を前記ディスクの径方向内側であって、かつ前記ディスクの周方向に向かって複数かつ奇数個設けるようにしてもよい。このようにすれば、ディスクの共振に起因して発生するディスクの反りを助長するおそれが低減できる。
【００１６】
また、この実施形態に係るディスク装置では、前記第２空間の空気を、前記第３空間に導く第２の空気吸入部を備えるようにしてもよい。これによって、ディスク装置内で滞留している空気を前記第２の空気吸入部から仕切り部材と筐体との間に導いて、前記空気を冷却することができる。
【００１７】
また、この実施形態に係るディスク装置では、前記仕切り部材の表面から前記筐体に向かって立設する板状の部材により、前記第１空間から前記第３空間に吸入されてきた空気を、前記空気吸入部から前記空気導出部に導くようにしてもよい。このように、仕切り部材の表面から筐体に向かって立設する板状の部材によって空気通路を形成できるので、空気の漏れや圧力損失を低減して、効率よく空気を空気導出部に導くことができる。
【００１８】
また、この実施形態に係るディスク装置は、前記ディスクに対して情報の記録又は読み取りのうち少なくとも一方を実行するピックアップが前記ディスクの径方向外側にきたときには、前記ディスクの回転によって前記ディスクの径方向外側へ送られる空気を前記ピックアップに導く導風手段と、を含む。
【００１９】
一般に、ピックアップがディスクの外側にくると、ピックアップがディスクの内側にあるときよりもディスクの回転数は低くなる。その結果、ディスク装置内における空気の循環が不十分になって、発熱機器の冷却が不十分になるおそれがあるが、このディスク装置は、ピックアップがディスクの径方向外側にきたときには、前記導風手段によりピックアップに対して空気を吹き付ける。これによって、ディスクの回転数が低い場合でも、昇温しやすいＬＤ等を効果的に冷却することができる。その結果、装置内へ積極的に外気を導入せずに、装置内の機器の冷却性能を向上できる。
【００２０】
また、この実施形態に係るディスク装置は、前記ピックアップの温度が昇温したときには、記録又は再生を一旦中断するとともに、ピックアップを前記ディスクの径方向外側に移動させ、前記ディスクの回転数を上昇させてもよい。これによって、ピックアップの過度の昇温を抑制できるので、ピックアップが備えるＬＤの耐久性低下を抑制できる。
【実施例】
【００２１】
図１は、この実施例に係るディスク装置の概要を示す全体図である。この実施例においては、ディスクの一例としてＣＤ（Compact Disc）やＤＶＤ（Digital Versatile Disc）等の光ディスクを用いる場合を説明する。この実施例に係るディスク装置１００は、ＣＤやＤＶＤ等の光ディスク１４に記録された情報を再生する。なお、このディスク装置１００は、少なくとも光ディスク１４に記録された情報を再生できればよく、さらに光ディスク１４へ情報を記録する機能を備えていてもよい。
【００２２】
ディスク装置１００は、装置本体１０１を内部に配置する筺体４を備える。筺体４は、外形形状が略６面体であり、金属を板金加工して製造される。筺体４は、光ディスク１４の取り出し側にパネル１５が備えられる。装置本体１０１は、光ディスク１４の駆動手段や、光ディスク１４に記録された情報を読み出す情報読み取り手段等を備えており、ディスク装置１００の中核をなす部分である。
【００２３】
装置本体１０１は、ディスク駆動手段、情報読み取り手段、回路基板等の機器が取り付けられる枠体１と、枠体１に取り付けられ、ディスク保持手段の一部であるクランパ１１を支持するとともに、回転中の光ディスク１４を保護する蓋体２とを備える。この実施例において、枠体１は、例えば樹脂材料により作られる。また、この実施例において、蓋体２は、樹脂材料を射出成形することによって製造されるが、蓋体２の材料及び製造方法はこれに限られるものではない。
【００２４】
ディスク駆動手段である電気モータ５及び情報記録／読み取り手段であるピックアップ６は、例えば金属板により構成される台座９に取り付けられる。ピックアップ６は、光ディスク１４に対して情報の記録又は読み取りのうち少なくとも一方を実行する。電気モータ５は、例えばスピンドルモータ等であり、ディスク保持手段を介して、これに保持される光ディスク１４を回転させる。電気モータ５は、動作中に熱を放出して発熱源となる。この実施の形態において、ディスク保持手段は、蓋側ディスク保持手段であるクランパ１１と、後述する駆動側ディスク保持手段とで構成される。クランパ１１は略円形であり、光ディスク１４から情報を読み込まない待機状態のときには、クランパ１１の外周部に張り出した鍔部が蓋体２に穿孔されたクランパ支持孔の内周部と係合する。これによって、前記待機状態において、クランパ１１は前記蓋体２に支持される。
【００２５】
駆動側ディスク保持手段は、ディスクテーブル１３と、光ディスク１４の中心に穿孔された軸孔と嵌合する略円柱状のディスク保持ボス１２とで構成される。ディスクテーブル１３には磁石が組み込まれており、ディスクテーブル１３の磁石とクランパ１１の金属部の吸着力とによって、クランパ１１が光ディスク１４を挟持すると、光ディスク１４はディスク保持手段に保持される。
【００２６】
ピックアップ６は、レーザーダイオード等の光源と、この光源からの光を収束して光ディスク１４に照射するレンズと、光ディスク１４から反射された光を検出する光センサとを含んで構成される。そして、ピックアップ６は、光ディスク１４の回転中に、その径方向内側から径方向外側へ向かって光ディスク１４の径方向と平行に直線移動する。その過程で、ピックアップ６は、光ディスク１４の情報記録面に記録された情報を読み取る。ピックアップ６に使用されるレーザーダイオード等は発熱量の大きい半導体であり、発熱源となる。また、レーザーダイオードの耐久性はその温度に依存し、規定温度以上で使用すると耐久性が低下する。このため、ピックアップ６が備えるレーザーダイオード等の光源は、十分に冷却する必要がある。
【００２７】
台座９は、枠体１と一体に形成される取り付け台座１６に、例えばゴム等の弾性材料で作られる防振部材１７を介して取り付けられる。これによって、枠体１から台座１６、及び台座９を介してピックアップ６へ伝達する外部からの振動が減衰されるので、ピックアップ６が光ディスク１４に記録された情報をより確実に読み取ることができる。
【００２８】
枠体１には、回路基板７が取り付けられる。回路基板７は、枠体１の外側部分であって、前記台座９と筺体４との間に配置される。回路基板７には、ＣＰＵ（Central Processing Unit：中央演算装置）やコンデンサ等の電気・電子部品８が取り付けられており、電気モータ５やピックアップ６の動作を制御したり、ピックアップ６によって読み取った光ディスク１４の情報を処理したりする。ここで、回路基板７に取り付けられている電気・電子部品８は、動作中に熱を放出し、発熱源となる。
【００２９】
装置本体１０１には、光ディスク１４を配置するディスク配置部であるディスクトレイ３が備えられる。ディスクトレイ３は、ディスクトレイ駆動手段であるディスクトレイ駆動モータ１０によって駆動されて、ディスク装置１００のパネル１５側へ送り出される。この位置で、ディスクトレイ３に設けられる配置面３ｐに光ディスク１４を搭載し、また、ディスクトレイ３から光ディスク１４を取り出す。
【００３０】
ディスクトレイ３に光ディスク１４が配置されると、ディスクトレイ駆動モータ１０によってディスクトレイ３は装置本体１０１内へ引き込まれる。そして、前記ディスク保持手段によって保持された後、前記電気モータ５によって回転し、ピックアップ６により情報が読み出される。なお、本実施例においては、搬送トレイ（ディスクトレイ３）を用いたトレイローディング方式について説明するが、上述の通り、本発明の要旨を逸脱しない限りこれに限られない。すなわち搬送トレイを用いた例に限られず、例えば、オープントップタイプのディスク装置にも適用が可能である。
【００３１】
ここで、前記配置面の上側及び下側について説明する。「配置面よりも上側」とは、配置面３ｐ（図１参照）を基準として、前記配置面３ｐに光ディスク１４が配置される側をいう。また、「配置面よりも下側」とは、配置面３ｐを基準として、前記配置面３ｐに光ディスク１４が配置される側の反対側をいう。例えば、図１においては、「配置面よりも上側」は、蓋体２側となり、「配置面よりも下側」はピックアップ６や回路基板７が配置される側となる。ここで、「配置面よりも上側」、「配置面よりも下側」は、ディスクを配置する配置面を基準として定義されるものであり、ディスク装置１００の設置方向には影響を受けない。
【００３２】
装置本体１０１内は、光ディスク１４及びディスクトレイ３によって、ピックアップ６や回路基板７が配置される側の空間（第１空間）１８Ａと、蓋体２側の空間（第２空間）１８Ｂとに仕切られる。また、筺体４と蓋体２との間には、第３空間１８Ｃが形成される。第１空間１８Ａは、ピックアップ６や回路基板７に取り付けられる電気・電子部品８や電気モータ５等の熱源が配置されるので、第１空間１８Ａの空気の温度は上昇する。しかし、装置本体１０１外部への放熱のため第１空間１８Ａの空気が装置本体１０１の内面と接触する面積は、第１空間１８Ａ内の発熱量に対して小さいので、放熱が不十分となる。
【００３３】
ここで、第２空間１８Ｂ及び第３空間１８Ｃには熱源が存在しないので、第２空間１８Ｂ及び第３空間１８Ｃ内における空気の温度上昇は、第１空間１８Ａと比較して小さい。また、第３空間１８Ｃ内の空気は、外気と直接接触するディスク装置１００の筺体４と直接接する。
【００３４】
ここで、第２空間１８Ｂ内で光ディスク１４が回転すると、光ディスク１４の表面と接触している空気は、光ディスク１４の表面との摩擦力によって引きずられて光ディスク１４と同方向に回転する。そして、光ディスク１４の表面と接触している空気は、光ディスク１４の回転によって生ずる遠心力によって光ディスク１４の径方向外側へ放出される。このとき、光ディスク１４の径方向内側（すなわち光ディスク１４の中心側）においては圧力が低下するので、光ディスク１４の径方向内側に向かって空気が吸い込まれ、径方向外側に吐出される流れが発生する。
【００３５】
このディスク装置１００は、この流れを積極的に利用して、第１空間１８Ａ内の空気を第３空間１８Ｃへ導き、筐体４を介して冷却する。そして、光ディスク１４の径方向内側部分から冷却後の空気を吸い込んで径方向外側に吐出した後、前記空気を第１空間１８Ａ内へ送り込む。このように、このディスク装置１００では、光ディスク１４の径方向内側から径方向外側に向かう空気の流れを利用して、第１空間１８Ａ〜第３空間１８Ｃ内で空気を循環させる。これによって、第３空間１８Ｃで空気が冷却されるため、光ディスク１４の回転数が低く、ディスク装置１００内を循環する空気の量が少ない場合でも、第１空間１８Ａに配置されるＬＤ等の発熱源を効率的に冷却できる。
【００３６】
また、このディスク装置１００は、ＬＤを備えるピックアップ６が光ディスク１４の径方向外側に移動してきたとき、光ディスク１４の径方向外側に向かって吐出された空気を前記ＬＤに吹き付けるための導風手段を、ディスクトレイ３に設ける。光ディスク１４の外周部分で記録又は再生する場合には、光ディスク１４の回転数が低くなって、光ディスク１４の径方向外側に向かって吐出される空気の量が減少する。しかし、上記構成によって、このディスク装置１００では、光ディスク１４の回転数が低くなって、光ディスク１４の径方向外側に向かって吐出される空気の量が減少した場合でも、ピックアップ６のＬＤを冷却することができる。次に、この冷却構造について詳細に説明する。なお、次の説明においては、適宜図１を参照されたい。
【００３７】
図２は、この実施例に係るディスク装置の装置本体を示す平面図である。図３は、この実施例に係るディスク装置内における空気の流れを示す概念図である。ここで、図２は、この実施例に係るディスク装置１００の筺体４（図１参照）を取り外した状態を示している。蓋体２には、第１空間１８Ａの空気を第３空間１８Ｃへ導く空気吸入通路（空気吸入部に相当する）３０が開口している。
【００３８】
図２、図３に示すように、光ディスク１４の回転軸Ｚ側（光ディスク１４の中心側）には、光ディスク１４の周方向に沿って、複数の空気導出部３５が開口している。上述したように、光ディスク１４が回転すると、光ディスク１４の径方向内側の圧力Ｐｉは、光ディスク１４の径方向外側の圧力よりも低くなる。これによって、第３空間１８Ｃの空気（Ａｉｒ）は、空気導出部３５から第２空間１８Ｂへ吸い込まれる。
【００３９】
光ディスク１４が回転すると、光ディスク１４の径方向内側における圧力Ｐｉは、光ディスク１４の径方向外側の圧力Ｐｏよりも低くなる。このため、電気モータ５によって光ディスク１４が回転すると、第２空間１８Ｂに吸い込まれた空気は、光ディスク１４の径方向内側から径方向外側に向かって流れる。この空気は蓋体２に設けられる空気導出通路４２へ導かれてから第１空気吐出口４０Ａ及び第２空気吐出口４０Ｂを通って、第１空間１８Ａへ流れ込む。
【００４０】
空気吐出口４０Ａへ導かれた空気は、ディスクトレイ３のディスク配置側とは反対側に設けられる導風手段４１によって、装置本体１０１の略幅方向の中心に向かって進行方向が変更される。ここで、装置本体１０１の幅方向とは、ディスクトレイ３の移動方向Ｌと直交する方向（図２中のＷ方向）をいう。これによって、ピックアップ６が光ディスク１４の径方向外側に移動したときには、光ディスク１４の径方向外側に向かって流れる空気をピックアップ６に吹き付け、これを効果的に冷却することができる。
【００４１】
蓋体２の第３空間１８Ｃ側には、空気吸入通路３０の開口部３０ｓから吸引された空気を複数の空気導出部３５へ導く第１導風部３１と、光ディスク１４の外周の一部に沿って配置される第２導風部３２と、空気導出部３５と光ディスク１４の回転軸Ｚとの間に配置される第３導風部３７とが設けられる。第１導風部３１、第２導風部３２及び第３導風部３７は、いずれも蓋体２の表面から立設する板状の部材である。そして、第２導風部３２と第３導風部３７との間、及び第１導風部３１と第２導風部３２との間が、空気通路３６となる。空気吸入通路３０の開口部３０ｓから吸引された第１空間１８Ａ内の空気は、前記空気通路３６を旋回しながら通過する過程で、空気導出部３５から第２空間１８Ｂへ吸引される。
【００４２】
ここで、第１導風部３１、第２導風部３２及び第３導風部３７は、蓋体２を補強する機能も有する。また、第２導風部３２に沿って、蓋体２と筐体４との間に密封用部材を設けてもよい。このようにすれば、空気通路３６から漏れ出る空気を低減できるので、第１空間１８Ａから吸引される空気を確実に筐体４に接触させて冷却することができる。その結果、装置本体１０１の冷却効率が向上する。
【００４３】
また、この実施例に係るディスク装置１００が備える装置本体１０１の蓋体２には、空気通路３６よりも後方に、蓋体２を補強するための第１リブ３３Ａ、第２リブ３３Ｂ及び第３リブ３３Ｃが設けられている。第１リブ３３Ａ〜第３リブ３３Ｃは、ずれも蓋体２の表面から立設する板状の部材であって、蓋体２の略幅方向（装置本体１０１の幅方向と同一）と平行に設けられる。このように、第１リブ３３Ａ〜第３リブ３３Ｃを蓋体２に設けることによって、蓋体２の強度を向上させたり、蓋体２の振動特性を調整したりすることができる。
【００４４】
蓋体２の第１リブ３３Ａよりも後方には、第２空間１８Ｂ内の空気を第３空間１８Ｃに導くための連通孔（第２の空気吸入部）３４が設けられている。連通孔３４を通過した第２空間１８Ｂの空気は、第１リブ３３Ａに設けられる第１切欠き３３Ａｇ、第２リブ３３Ｂに設けられる第２切欠き３３Ｂｇ及び第３リブ３３Ｃに設けられる第３切欠き３３Ｃｇを通り、第１導風部３１と第２導風部３２との間から空気通路３６に向かって流れる。空気通路３６に流入した第２空間１８Ｂの空気は、空気導出部３５から再び第２空間１８Ｂへ流入する。
【００４５】
このディスク装置１００では、連通孔３４から第３空間１８Ｃに吸引された第２空間１８Ｂ内の空気は、筐体４と接触しながら第１〜第３切欠き３３Ａｇ〜３３Ｃｇ及び空気通路３６を通る。その過程で、第２空間１８Ｂ内の空気は冷却されるので、冷却された空気が空気導出部３５から第２空間１８Ｂに戻される。これによって、より効率的にディスク装置１００内を冷却することができる。
【００４６】
ここで、前記第１リブ３３Ａや第２リブ３３Ｂ等は、蓋体２の幅方向と平行に設けられるが、これに限られず、連通孔３４から第１導風部３１と第２導風部３２との間に向かって空気の通路を形成するように設けてもよい。また、連通孔３４を設けない場合、前記第１リブ３３Ａや第２リブ３３Ｂ等に設けた第１切欠き３３Ａｇや第２切欠き３３Ｂｇ等は設ける必要はない。この場合、空気通路３６の流れを考慮して、第１導風部３１と第２導風部３２との間を閉じることが好ましい。次に、蓋体２に設けられる空気導出部３５について説明する。
【００４７】
図４は、蓋体に設けられる空気吸引口の構成を示す拡大図である。図５は、図４のＡ−Ａ断面図である。上述したように、この実施例に係るディスク装置１００が備える蓋体２には、光ディスク１４の中心側に、光ディスク１４の周方向に沿って、複数の空気導出部３５が開口している。空気導出部３５の数は奇数であることが好ましい。これは、光ディスク１４の共振による変形を助長しないようにするためである。
【００４８】
光ディスク１４の固有振動数が、外乱（例えば電気モータ５の振動）の振動数に一致、又は外乱の振動数の整数倍になると、光ディスク１４が共振するおそれがある。光ディスク１４の共振を引き起こす回転数において、光ディスク１４は、反りを発生しながら回転を続ける。この反りは、光ディスク１４の直径が折り目となるような反りとなるため、共振に起因して発生する光ディスク１４の反りは、必ず偶数個になる。空気導出部３５の数が偶数である場合、空気導出部３５から第２空間１８Ｂに流入する空気によって、前記反りが助長されるおそれがあるため、空気導出部３５の個数を奇数とすることが好ましい。これによって、光ディスク１４の共振に起因して発生する光ディスク１４の反りを助長するおそれが低減できる。
【００４９】
この実施例では、前記空気導出部３５の個数は５個としてある。隣接する空気導出部３５同士の中心角はすべて７２度となり、空気導出部３５を均等間隔で配置しやすくなる。このように、空気導出部３５の個数は、奇数かつ円の中心角である３６０（度）の約数とすることが好ましい。
【００５０】
図５に示すように、空気導出部３５は、光ディスク１４のディスク面１４ｐに対して、できる限り並行に空気を流入させる形状とした第１整流部３５Ｄ1及び第２整流部３５Ｄ2を備える。第１整流部３５Ｄ1及び第２整流部３５Ｄ2は、蓋体２と一体に形成されている。第１整流部３５Ｄ1は、光ディスク１４の回転方向（図４、図５の矢印Ｒ方向）前方に設けられ、また、第２整流部３５Ｄ2は、光ディスク１４の回転方向後方に設けられる。
【００５１】
第１整流部３５Ｄ1は、第１傾斜部３５ｓ1と、空気導出部３５ｐ1とを含んで構成される。第１傾斜部３５ｓ1は、空気導出部３５の開口部に向かうにしたがって、光ディスク１４のディスク面１４ｐから遠ざかるように傾斜する。空気導出部３５ｐ1は、ディスク面１４ｐと略平行であり、光ディスク１４の回転方向後方側における第１傾斜部３５ｓ1に設けられる。このような構成により、第１整流部３５Ｄ1は、蓋体２の表面よりも光ディスク１４とは反対側に突出する。
【００５２】
第２整流部３５Ｄ2は、第２傾斜部３５ｓ2と、空気流出部３５ｐ2とを含んで構成される。第２傾斜部３５ｓ2は、空気導出部３５の開口部に向かうにしたがって、光ディスク１４のディスク面１４ｐに近づくように傾斜する。空気流出部３５ｐ2は、ディスク面１４ｐと略平行であり、光ディスク１４の回転方向前方側における第２傾斜部３５ｓ2に設けられる。このような構成により、第２整流部３５Ｄ2は、蓋体２の表面よりも光ディスク１４側に突出する。
【００５３】
このような構成により、空気導出部３５から第２空間１８Ｂへ吸引される空気（Ａｉｒ）の進行方向は、第１整流部３５Ｄ1の第１傾斜部３５ｓ1及び第２整流部３５Ｄ2第２傾斜部３５ｓ2によって、光ディスク１４のディスク面１４ｐと平行に近い方向に整流される。このとき、ディスク面１４ｐと略平行に形成される第２整流部３５Ｄ2の空気流出部３５ｐ2によって、より光ディスク１４のディスク面１４ｐと平行に近い方向に整流される。また、空気流出部３５ｐ2を設けることによって、第２空間１８Ｂへ吸引される空気の方向を徐々に変化させることができるので、圧力損失を低減できる。
【００５４】
このようにすることで、空気導出部３５から第２空間１８Ｂに吸引される空気は、光ディスク１４のディスク面１４ｐに沿って滑らかに流れるので、光ディスク１４に発生する無駄な振動を抑制できる。これによって、光ディスク１４に反りが発生した場合に、記録／再生性能の劣化を招くおそれを低減できる。なお、第１整流部３５Ｄ1及び第２整流部３５Ｄ2には、少なくとも第１傾斜部３５ｓ1及び第２傾斜部３５ｓ2が設けられていれば、第２空間１８Ｂに吸入される空気を、光ディスク１４のディスク面１４ｐと平行に近い方向に整流する効果が得られる。
【００５５】
この実施例において、空気導出部３５の開口面積Ｓは、第１整流部３５Ｄ1の空気導出部３５ｐ1における第１端部３５ｔ1と、第２整流部３５Ｄ2の空気流出部３５ｐ2における第２端部３５ｔ2との距離で規定される面積である。そして、この実施例において、すべての空気導出部３５における開口面積Ｓの総和は、空気吸入通路３０の開口部３０ｓ（図２参照）の開口面積と略等しくしてある。これによって、空気吸入通路３０から第３空間１８Ｃに流入する空気と、空気導出部３５を通って第３空間１８Ｃから流出する空気の流量とを揃えることができるので、流量収支のバランスをとることができる。次に、この実施例に係るディスク装置１００が備える導風手段について説明する。
【００５６】
図６は、光ディスクの配置側とは反対側からディスクトレイを見た状態を示す一部平面図である。図７は、導風手段の構造を示す説明図であり、図２のＢ−Ｂ断面図である。図６、図７に示すように、導風手段４１は、ディスクトレイ３の裏面（光ディスク１４の配置側とは反対側）に立設される、板状の部材である。導風手段４１は、第１空気吐出口４０Ａの空気吐出側に設けられており、第１空気吐出口４０Ａから吐出される空気（Ａｉｒ）の向きを、装置本体１０１の幅方向の中心に変更する。これによって、ピックアップ６が光ディスク１４の径方向外側にきたときには、第１空気吐出口４０Ａから吐出される空気をピックアップ６に吹き付けることができる。ピックアップ６が光ディスク１４の径方向外側にきた場合、光ディスク１４の回転数は低くなるため、第１空気吐出口４０Ａから吐出される空気の量は低減するが、このような場合であっても、上記構成によってピックアップ６が備えるＬＤを効率的に冷却することができる。
【００５７】
ここで、第１空気吐出口４０Ａの空気吐出側に、別部材（例えば板状の部材）を取り付けることによりダクト形状を作る。そして、前記ダクトの吐出口をピックアップ６の近傍まで近づけて開口させてもよい。これによって、ピックアップ６をより効率的に冷却することができる。
【００５８】
また、ディスク装置１００が備えるピックアップ６の温度が昇温したときには、記録、あるいは再生を一旦中断する。そして、ピックアップ６を光ディスク１４の径方向外側に移動させるとともに、光ディスク１４の回転数を上昇させて、ピックアップ６を積極的に冷却してもよい。これによって、ピックアップ６の過度の昇温を抑制できるので、ピックアップ６が備えるＬＤの耐久性低下を抑制できる。
【００５９】
以上、この実施例に係るディスク装置では、筐体（４）内に設けられるとともに、ディスク（光ディスク１４）を配置する配置面を備えたディスク配置部（ディスクトレイ３）と、前記筐体と、前記ディスク配置部との間に設けられる仕切り部材（蓋体２）と、前記ディスクを回転させるディスク駆動手段（電気モータ５）と、前記ディスクの回転によって生ずる前記ディスクの径方向内側における圧力と径方向外側における圧力との差圧を用いて、前記配置面よりも下側の空気を、前記筐体と前記仕切り部材との間に導く空気吸入部（空気吸入通路３０）と、を含む。これによって、装置内へ積極的に外気を導入しない場合であっても、筐体にディスク装置内の空気が接触することによって、前記空気は筐体外部の空気によって冷却されるため、装置内の機器の冷却性能を向上できる。
【００６０】
また、この実施例に係るディスク装置では、筐体内（４）に設けられるとともに、ディスク（光ディスク１４）を配置する配置面を備えたディスク配置部（ディスクトレイ３）と、前記ディスクを回転させるディスク駆動手段（電気モータ５）と、前記ディスクの回転によって生ずる前記ディスクの径方向内側における圧力と径方向外側における圧力との差圧を用いて、前記配置面よりも下側の空気を前記ディスクの径方向内側へ導く空気吸入部（空気吸入通路３０）と、前記ディスクに対して情報の記録又は読み取りのうち少なくとも一方を実行するピックアップ（６）が前記ディスクの径方向外側にきたときには、前記ディスクの回転によって前記ディスクの径方向外側へ送られる空気を前記ピックアップに導く導風手段（４１）と、を含む。これによって、ピックアップがディスクの外周部に移動してディスクの回転によるディスク装置内における空気の循環が弱くなっても、導風手段によってピックアップを効率的に冷却できる。これによって、装置内の機器の冷却性能を向上できる。
【図面の簡単な説明】
【００６１】
【図１】この実施例に係るディスク装置の概要を示す全体図である。
【図２】この実施例に係るディスク装置の装置本体を示す平面図である。
【図３】この実施例に係るディスク装置内における空気の流れを示す概念図である。
【図４】蓋体に設けられる空気吸引口の構成を示す拡大図である。
【図５】図４のＡ−Ａ断面図である。
【図６】光ディスクの配置側とは反対側からディスクトレイを見た状態を示す一部平面図である。
【図７】導風手段の構造を示す説明図であり、図２のＢ−Ｂ断面図である。
【符号の説明】
【００６２】
１  枠体
２  蓋体
３  ディスクトレイ
３ｐ  配置面
４  筺体
５  電気モータ
６  ピックアップ
１４  光ディスク
１４ｐ  ディスク面
１８Ａ  第１空間
１８Ｂ  第２空間
１８Ｃ  第３空間
３０  空気吸入通路
３０ｓ  開口部
３１  第１導風部
３２  第２導風部
３４  連通孔
３５  空気導出部
３６  空気通路
３７  第３導風部
４０Ａ  第１空気吐出口
４０Ｂ  第２空気吐出口
４１  導風手段
４２  空気導出通路
１００  ディスク装置
１０１  装置本体
【図１】
0004768435.tif 000002
【図２】
0004768435.tif 000003
【図３】
0004768435.tif 000004
【図４】
0004768435.tif 000005
【図５】
0004768435.tif 000006
【図６】
0004768435.tif 000007
【図７】
0004768435.tif 000008